(57)【特許請求の範囲】
【請求項１】
第１アーム部、第２アーム部、第３アーム部の順に放射状に延び、且つそれぞれの根元が連結され、且つ前記第１アーム部の先端部及び前記第２アーム部の先端部にそれぞれ対向するように延びる第１係合形状及び第２係合形状が配置され、且つ前記第２アーム部の先端部及び前記第３アーム部の先端部にそれぞれ対向するように延びる第３係合形状及び第４係合形状が配置されるように、一体に押し出し成形された部材である支持部と、
前記第１係合形状及び前記第２係合形状にそれぞれ一端部及び他端部が係合されることでスピーカボックスの外方向へ移動不能に係止され、前記スピーカボックスの外郭の一部を成す第１側板部と、
前記第３係合形状及び前記第４係合形状にそれぞれ一端部及び他端部が係合されることで前記スピーカボックスの外方向へ移動不能に係止され、前記スピーカボックスの外郭の一部を成す第２側板部と、
を具備する、
スピーカボックス。
【発明の詳細な説明】
【技術分野】
【０００１】
本発明は、スピーカボックスに関する。
【背景技術】
【０００２】
スピーカボックスにおいては、特許文献１のように頑強な多角形筒形状を構成する為に、隣り合う側板の端部同士を嵌め合わせ、且つ内部に複雑な形状の支持部を組み込んで補強する案が知られている。
【０００３】
【特許文献１】特開平１１−１５５１８２号公報
【発明の開示】
【発明が解決しようとする課題】
【０００４】
スピーカボックスにおいては、ドライバの振動板の動作に伴うドライバ取り付け穴周辺の振動、及び外郭の共振を防ぎ、且つ内部空間の気密性が必要とされる部分の気密性を確保しようとすると、側板端部に複雑な嵌め合わせ構造が必要になり、且つ内部に複雑な補強が必要になる場合が多いので、高い加工精度が求められ、且つ組み立て工程数が増加してしまう。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係るスピーカボックスは、例えば図１から３の組み、又は、図４から６の組みのように、
アーム部１、２、３の順に放射状に延び、且つそれぞれの根元が連結され、且つアーム部１の先端部及びアーム部２の先端部にそれぞれ対向するように延びる係合形状１１及び１２が配置され、且つアーム部２の先端部及びアーム部３の先端部にそれぞれ対向するように延びる係合形状１３及び１４が配置されるように、一体に押し出し成形された部材である支持部８と、
係合形状１１及び１２にそれぞれ一端部及び他端部が係合されることでスピーカボックス９９の外方向へ移動不能に係止され、スピーカボックス９９の外郭の一部を成す側板部３１と、
係合形状１３及び１４にそれぞれ一端部及び他端部が係合されることでスピーカボックス９９の外方向へ移動不能に係止され、スピーカボックス９９の外郭の一部を成す側板部３２と、
を具備する、
スピーカボックスである。
【発明の効果】
【０００７】
以上のように本発明では、支持部８に側板部３１及び３２を差し入れるだけで支持可能な構造とすることが容易であるので、高い加工精度を必要とせず、且つ組み立て工程数もわずかであるのに、頑強且つ気密性の高いスピーカボックスを、製造コストを抑えて得ることが可能となる。
【発明を実施するための最良の形態】
【０００８】
〔第１実施形態〕
図１から３において、スピーカボックス９９は三角形筒形状の一端部及び他端部がそれぞれ蓋７１の内面７３及び蓋７２の内面７５によって蓋をされた状態であり、三角形筒形状の中心軸線に沿うように支持部８の連結部７が配置されている。
また、支持部８は押し出し金型（ダイス）を用いて三角形筒形状の中心軸線方向に押し出し成形したアルミ製の部材であり、連結部７から放射状に順に延びるアーム部１から３の先端部にはそれぞれ凸状の、係合形状１１及び１６、係合形状１２及び１３、係合形状１４及び１５が配置されており、係合形状１１及び１２、係合形状１３及び１４、係合形状１５及び１６はそれぞれ対向するように配置されている。
また、係合形状１１の内方向、及び係合形状１２の内方向に出来た溝にそれぞれ長方形平面板状の側板部３１の一端部及び他端部が嵌るように三角形筒形状の中心軸線方向から側板部３１がアーム部１及び２の間に差し入れられており、側板部３１はスピーカボックス９９の内方向及び外方向に移動不能にアーム部１及び２に支持されている。
また、係合形状１３の内方向、及び係合形状１４の内方向に出来た溝にそれぞれ長方形平面板状の側板部３２の一端部及び他端部が嵌るように三角形筒形状の中心軸線方向から側板部３２がアーム部２及び３の間に差し入れられており、側板部３２はスピーカボックス９９の内方向及び外方向に移動不能にアーム部２及び３に支持されている。
また、係合形状１５の内方向、及び係合形状１６の内方向に出来た溝にそれぞれ長方形平面板状の側板部３３の一端部及び他端部が嵌るように三角形筒形状の中心軸線方向から側板部３３がアーム部３及び１の間に差し入れられており、側板部３３はスピーカボックス９９の内方向及び外方向に移動不能にアーム部３及び１に支持されている。
また、蓋７１及び７２はそれぞれ、支持部８の押し出し成形時に形成された貫通穴８１から８３にネジ止めされている。
また、側板部３１から３３にはそれぞれ円筒状のポート５１から５３が設けられており、スピーカボックス９９内部空間との共鳴を利用した位相反転形スピーカボックスを構成している。
また、蓋７１の外面７４には直接放射形コーン形のドライバ６７が設置されており、ドライバ６７の振動板後面はスピーカボックス９９内部空間に接続されている。
【０００９】
〔第２実施形態〕
図４から６において、スピーカボックス９９は六角形筒形状の一端部及び他端部がそれぞれ蓋７１の内面７３及び蓋７２の内面７５によって蓋をされた状態であり、六角形筒形状の中心軸線に沿うように支持部８の連結部７が配置されている。
また、支持部８は押し出し金型（ダイス）を用いて六角形筒形状の中心軸線方向に押し出し成形したアルミ製の部材であり、連結部７から放射状に順に延びるアーム部１から６の先端部にはそれぞれ凸状の、係合形状１１及び２２、係合形状１２及び１３、係合形状１４及び１５、係合形状１６及び１７、係合形状１８及び１９、係合形状２０及び２１が配置されており、係合形状１１及び１２、係合形状１３及び１４、係合形状１５及び１６、係合形状１７及び１８、係合形状１９及び２０、係合形状２１及び２２はそれぞれ対向するように配置されている。
また、係合形状１１の内方向、及び係合形状１２の内方向に出来た溝にそれぞれ長方形平面板状の側板部３１の一端部及び他端部が嵌るように六角形筒形状の中心軸線方向から側板部３１がアーム部１及び２の間に差し入れられており、側板部３１はスピーカボックス９９の内方向及び外方向に移動不能にアーム部１及び２に支持されている。
また、係合形状１３の内方向、及び係合形状１４の内方向に出来た溝にそれぞれ長方形平面板状の側板部３２の一端部及び他端部が嵌るように六角形筒形状の中心軸線方向から側板部３２がアーム部２及び３の間に差し入れられており、側板部３２はスピーカボックス９９の内方向及び外方向に移動不能にアーム部２及び３に支持されている。
また、係合形状１５の内方向、及び係合形状１６の内方向に出来た溝にそれぞれ長方形平面板状の側板部３３の一端部及び他端部が嵌るように六角形筒形状の中心軸線方向から側板部３３がアーム部３及び４の間に差し入れられており、側板部３３はスピーカボックス９９の内方向及び外方向に移動不能にアーム部３及び４に支持されている。
また、係合形状１７の内方向、及び係合形状１８の内方向に出来た溝にそれぞれ長方形平面板状の側板部３４の一端部及び他端部が嵌るように六角形筒形状の中心軸線方向から側板部３４がアーム部４及び５の間に差し入れられており、側板部３４はスピーカボックス９９の内方向及び外方向に移動不能にアーム部４及び５に支持されている。
また、係合形状１９の内方向、及び係合形状２０の内方向に出来た溝にそれぞれ長方形平面板状の側板部３５の一端部及び他端部が嵌るように六角形筒形状の中心軸線方向から側板部３５がアーム部５及び６の間に差し入れられており、側板部３５はスピーカボックス９９の内方向及び外方向に移動不能にアーム部５及び６に支持されている。
また、係合形状２１の内方向、及び係合形状２２の内方向に出来た溝にそれぞれ長方形平面板状の側板部３６の一端部及び他端部が嵌るように六角形筒形状の中心軸線方向から側板部３６がアーム部６及び１の間に差し入れられており、側板部３６はスピーカボックス９９の内方向及び外方向に移動不能にアーム部６及び１に支持されている。
また、蓋７１及び７２はそれぞれ、支持部８の押し出し成形時に形成された貫通穴８１から８７にネジ止めされている。
また、側板部３１から３６にはそれぞれ円筒状のポート５１から５６が設けられており、アーム部１から６による仕切りによってスピーカボックス９９内部の独立した６個の空間とポート５１から５６それぞれの共鳴を利用した位相反転形スピーカボックスを構成している。
また、側板部３１から３６にはそれぞれ直接放射形コーン形のドライバ６１から６６が設置されており、それぞれの振動板後面はスピーカボックス９９内部の独立した６個の三角柱状空間に接続されているので、スピーカボックス９９の内部空間におけるドライバ６１から６６の相互干渉を抑え、且つ内部空間の平行面を極力無くして定在波の発生を抑えている。
【００１０】
〔その他の実施形態〕
第１実施形態において、ポート５１から５３をすべて塞いで密閉形スピーカボックスを構成しても良い。
また、蓋７２を取り去って音響管形スピーカボックスを構成する、等様々な方式が利用できる。
【００１１】
第２実施形態において、ポート５１から５６をすべて塞いで密閉形スピーカボックスを構成しても良い。
また、アーム部１から６によって仕切られた６個の内部空間を横穴によってすべてつなげ、ドライバ６１から６６を１個にして、無指向性を狙わないスピーカ装置を構成しても良い。
また、例えばドライバ６１のみ残してポート５１から５６、及びドライバ６２から６５の取り付け穴を塞ぎ、蓋７１付近のアーム部３及び５、及び蓋７２付近のアーム部２、４及び６に横穴を開けて、ドライバ６１からドライバ６６の取り付け穴まで続く音響管を構成するというように、アーム部１から６の少なくとも１つを仕切りとして利用して音響管の全長を確保する、音響迷路形スピーカボックスを構成しても良い。
【図面の簡単な説明】
【００１２】
【図１】第１実施形態の全体図
【図２】図１の線分Ａ−Ａ矢視図
【図３】図１の線分Ｂ−Ｂ断面図
【図４】第２実施形態の全体図
【図５】図４の線分Ｃ−Ｃ矢視図
【図６】図４の線分Ｄ−Ｄ断面図
【符号の説明】
【００１３】
１,２,３,４,５,６.                                          アーム部
７.                                                                   連結部
８.                                                                   支持部
１１,１２,１３,１４,１５,１６,
１７,１８,１９,２０,２１,２２.                    係合形状
３１,３２,３３,３４,３５,３６.                    側板部
４１,４２,４３,４４,４５,４６,４７.            ネジ
５１,５２,５３,５４,５５,５６.                    ポート
６１,６２,６３,６４,６５,６６,６７.            ドライバ
７１,７２.                                                      蓋
７３,７５.                                                      内面
７４,７６.                                                      外面
８１,８２,８３,８４,８５,８６,８７.            貫通穴
９９.                                                               スピーカボックス
【要約】
【課題】    スピーカボックスにおいては、ドライバの振動板の動作に伴うドライバ取り付け穴周辺の振動、及び外郭の共振を防ぎ、且つ内部空間の気密性が必要とされる部分の気密性を確保しようとすると、側板端部に複雑な嵌め合わせ構造が必要になり、且つ内部に複雑な補強が必要になる場合が多いので、高い加工精度が求められ、且つ組み立て工程数が増加してしまう。
【解決手段】  放射状に延びるアーム部（１）から（３）を備えた支持部（８）によって、上手に側板部（３１）及び（３２）を支持する。
【選択図】          図６【図１】
0004057637.tif 000002
【図２】
0004057637.tif 000003
【図３】
0004057637.tif 000004
【図４】
0004057637.tif 000005
【図５】
0004057637.tif 000006
【図６】
0004057637.tif 000007